(57)【要約】      （修正有）【課題】室内向け観葉植物は、栽培用土で鉢に植え込み固定するが、樹高のあるものでは根茎の固定が困難で手間が掛かり、重量も重い。土の代わりに植物の根茎を止り木状の固定棒で固定し、ウレタン屑等を培地として水耕栽培で育成することで、鉢内に圧迫が無く無菌であるために活着生成が早くて生産効率が良く、軽量であるため取扱いや作業性に優れ小ロットで安価に全国配送が可能であり、清潔であるから生産から消費者まで総てが衛生的である、植物自在棒固定鉢の提供。【解決手段】プラスチック製の固定鉢１の横四方の壁一面に固定穴２を設け、同じ素材の固定棒３を固定鉢１内に止り木状に渡し、同じ素材の固定キャップ４を固定棒３に接着剤で固定鉢１の外側から差し込むことで固定棒３を固定鉢１に固定する。植物の根茎を固定棒３に固定帯５で縛り付けることで植物と固定鉢１を一体とし、培地としてウレタン屑等を入れて水耕栽培で育成する。【選択図】図６
2004267181.tif 000002
【特許請求の範囲】
【請求項１】
植木鉢の横四方に複数の小穴を設け、対面する方向の穴へ自在に固定棒が渡せるようにする。固定棒と固定キャップは接着剤で接着できる素材で、植木鉢内に上下自在に止まり、木状に固定棒を渡して固定キャップに接着剤を塗り、植木鉢の外側の両方から固定キャップを固定棒に差込み固定棒を強く固定する。植物の幹や根の状況、また寄せ植えの本数によって固定棒の数を調整して植物の根や幹をしっかりと固定棒に固定帯で固定してから、栄養素、微量要素を鉢底に置き、栽培ハウスで育成する。根茎部がしっかりと固定するので、活着や生育が良く、完成品になるのが早いので出荷も早い。また流通面でも根茎の固定度が高く、弱ることがないので商品価値も高く、経済効果にも優れている。根茎の固定が充分なので、植込み材にリサイクル品で安価な軽量のウレタン屑なども利用でき、従来の培養土の約５分の１の軽さで高齢者や障害を持つ方でも作業に従事できる。水やり等の手間も約３分の１以下になる。また横向け逆さ向けなどの方向に対しても植木が抜け落ちたり、植込み材がこぼれる事がない。生産現場や売場、貸植木リース業等の作業の効率化や流通コストを安価にする水耕栽培システムなので、１鉢単位でダンボール箱に入れて、全国へ格安に配達することもできる。また、清潔なので室内で悪生菌の発生も無く植物の生育も良い。私達にとって健康的にも良い条件をもたらすこの方法は、植物の生産から流通そして消費者に至るまで合理的に効率化することのできる植物自在棒固定鉢。
【発明の詳細な説明】
【０００１】
【産業上の利用分野】
本発明は植物の植木鉢栽培で根茎を固定棒で強く固定する事で、植込みの作業性を効率化すると共に、植物の活着と生育を促進し出荷を早くする。また根茎の固定度が高いので、軽量のウレタン屑などで水耕栽培が確立し、室内で清潔な状態で鑑賞できる。流通も１鉢単位で全国に安価な料金で配達でき、生産農場から直接新鮮な植物を市場、問屋、小売店、消費者へ届けられる。また軽量であるため植物の生産に高齢者でも充分に従事でき、あらゆる面でコスト削減に繋がり、消費者に観葉植物を安価に提供する緑化産業に関わる分野である。
【０００２】
【従来の技術及びその課題】
一般に室内向け観葉植物の栽培用土は真砂土をベースにピートモス、バーミキュライト、腐葉土、堆肥を混合して植物を鉢に植え込み固定して栽培しています。殆んどの植物は輸入物で根が裸で送られてきます。小鉢等は固定が容易だが、中鉢（高１ｍ）、大鉢（高さ１．５ｍ）の樹高のある植物となると、培養土で鉢内におさえて植え込む際に、根茎を固定するのが困難なものが多く、発泡スチロールのかたまり等で根の部分を固定しますが、作業が非常に困難で、手間がかかりすぎる。また培養土を突き固めるので、植物がスムーズに生育ができず、８ヶ月から１０ヶ月の生産日数が必要です。
鉢の重量も中鉢で約１０ｋｇ、大鉢で約１５ｋｇもあり、生産従事者も４０歳代くらいまでが限度で、汚い、きつい、危険という３ｋ産業と言われ、後継者が育ちにくいといった現状です。これらの問題点を解決するために発明された植物自在棒固定鉢。
【０００３】
【本発明が解決しようとする課題】
観賞用植物の中鉢、大鉢の植込みの際、固定棒を鉢内に止まり木上に固定して植物を入れ、根茎を固定帯で固定棒に固定してから栄養素、微量要素パックを鉢底に入れて培養ウレタン屑を鉢内全体に入れ込み上蓋をして完成する。鉢内にしっかりと根茎が固定されるので活着と生育が早く生産効率が非常に良い。また、ウレタン培地ですから水耕栽培で管理ができ、清潔な室内観葉植物が提供できます。また、ウレタン培地は軽量で、一般の大鉢重量の平均１５ｋｇに比べ本発明のウレタン培地の場合、全く同じもので平均３ｋｇ。従来のものに比べ、平均５分の１の軽さです。このような点から栽培作業の効率も数倍良くなり、高齢者や身体に障害のある方でも充分に作業に従事することができる。軽量のため流通が小ロット単位で全国へと流通ができ、従来の流通経費の約３分の１で済みます。本発明は鉢内の植物を簡単に固定すること。軽量培地で水耕栽培を可能にし、それによって生産流通から消費者までに安価かつ安全に商品を届けることを課題とした発明である。
【０００４】
【問題点を解決するための手段】
上記の目的を達成するためには、図１に示すように鉢の四方面に２つの固定穴を複数設けて上下自在に図２の３の固定棒を図５のように差し込み、３の固定棒を１鉢の両外側から４の固定キャップで接着止めして強く固定し、図６のようにして複数の７植物を３固定棒に５の固定帯でしっかりと止めてから、軽量培地を鉢内全体に注ぎ込んで完成させ、水耕栽培をすることができる。
【０００５】
【作用】
現在、市場流通している中鉢、大鉢の大半は、熱帯地方の路地で数年かけて栽培されたものを堀り上げ、土を洗い落としてから、水の蒸散を防ぐ為に切り口をロウびきしたものを輸入して鉢植えにし、ハウス栽培をして出荷しますが、植物を植込む時に、鉢内で根茎を固定するのが困難で手間がかかり、完全に固定することが出来なかった。本発明では簡単に固定でき、活着と生育が早く、生産効率が良い。固定が完全であるから軽量ウレタン屑でも水耕栽培ができ、流通が産地直送で新鮮かつ良質な鉢植物を小ロットでも全国へ配達できるという複数の作用がある。
【０００６】
【実施例】
以下、図面を参照して本発明の植物自在棒固定鉢を使用した実施例を説明すると、図１の植木鉢は横４面に複数２の穴を設けて図２の３の固定棒を図４の６不織布袋を１に入れてから、図５のように３を差し込んで４で固定し、図６のように７の植物ユッカ４本を寄せ植えしてから３に５の固定帯でしっかりと固定する。完全に固定された１の底部に栄養素、微量要素パックを入れ、培地軽量ウレタンを１の上部まで注ぎこんで植込みを完成させる。栽培はハウス内にビニールシートで簡易水槽を作り、１の３分の１まで、水位を上げて水耕栽培を行う。水槽の水は室温や水温によって、一日数回スプリンクラーで散水を行う。６の不織布で植物の蟻酸、酢酸、蓚酸その他を蒸散させてＰＨとＥＣを正常にする。本発明は植物の根茎をしっかりと鉢に固定することで軽量のウレタン屑培地で栽培を可能にした。また、根が圧迫されることがないので、根の生育が非常に良い。また根圏が清潔なウレタン培地水耕栽培なので、土壌に生息する根に害を及ぼしていた細菌の発生が無く、植物が良い状態で生育するので出荷も早い。根圏がしっかり固定されているので、移動や配送の途中で傷むことも少なく、生産、市場、問屋、小売店、消費者への流通に有利である。なお本発明の素材はプラスティック、金属、ウレタン、ガラス、布、セラミック、竹、木、スチロール、不織布等である。
【０００７】
【発明の効果】
本発明は、以上説明したように、植木鉢に植物の根茎をしっかりと固定することによって、軽量のウレタン屑などを利用し、清潔な水耕栽培ができ、根圏の条件を良くすることで植物の生育を早め、生産効率を高める。流通面では、植物と鉢の固定度が非常に高く軽量なので、１鉢単位での配送が可能となり、市場、卸問屋、小売業、消費者など幅広い流通経費削減を可能にし、経済効果をもたらす。また、軽量かつ衛生的であることから、生産者から消費者までの生産品の取扱いにおいて、従来よりも大幅に作業効率を良くすることができる。
【図面の簡単な説明】
【図１】本発明の固定鉢斜視図
【図２】本発明の固定棒斜視図
【図３】本発明の固定帯斜視図
【図４】本発明鉢と不織布袋斜視図
【図５】本発明に固定棒設置一部断面斜視図
【図６】本発明に植物植込一部断面斜視図
【図７】本発明に植物を植えた斜視図
【符号の説明】
１．  固定鉢
２．  固定穴
３．  固定棒
４．  固定キャップ
５．  固定帯
６．  不織布袋
７．  植物ユッカ
８．  植物パキラ
９．  植物セローム
１０．植物ベンジャミン
１１．植物アビス
１２．植物アンスリューム
【図１】
2004267181.tif 000003
【図２】
2004267181.tif 000004
【図３】
2004267181.tif 000005
【図４】
2004267181.tif 000006
【図５】
2004267181.tif 000007
【図６】
2004267181.tif 000008
【図７】
2004267181.tif 000009